(57)【要約】【課題】ディスクを高精度にセンタリングする。【解決手段】  本発明が適用されたターンテーブルは、光ディスク３を載置するターンテーブル本体９０と、ターンテーブル本体９０を回転駆動する回転軸４０と、光ディスク３の中心孔周縁部３ａを保持するチャック爪１２１と、チャック爪１２１を回転軸４０の半径方向外側に付勢する第１の弾性部材１２２とを有するチャック機構１２０と、回転軸４０に挿通される軸受部１３３と、光ディスク３の中心孔周縁部３ａが当接される傾斜部１３６とを有し、回転軸４０の軸方向に移動可能なセンタリング部材１３０と、センタリング部材１３０を光ディスク３の取り外し方向に付勢する第２の弾性部材１４０とを備え、センタリング部材１３０は、光ディスク３の中心孔周縁部３ａを傾斜部１３６とチャック爪１２１とで挟み込んで保持し、回転軸４０基準で光ディスク３をセンタリングする。【選択図】図５
2009259304.tif 000002
【特許請求の範囲】
【請求項１】
ディスクを載置するターンテーブル本体と、
上記ターンテーブル本体を回転駆動する回転軸と、
上記回転軸の半径方向外側に向けて設けられ、上記ディスクの中心孔周縁部を保持するチャック爪と、上記チャック爪を上記回転軸の半径方向外側に付勢する第１の弾性部材とを有するチャック機構と、
上記回転軸に挿通される軸受部と、上記ディスクの取り付け方向に向かって拡径され上記ターンテーブル本体に載置するディスクの中心孔周縁部が当接されて上記ディスクを上記回転軸の軸方向に摺動する傾斜部とを有し、上記回転軸の軸方向に移動可能に設けられるセンタリング部材と、
上記センタリング部材を上記ディスクの取り外し方向に付勢する第２の弾性部材とを備え、
上記センタリング部材は、上記ディスクの中心孔周縁部を上記傾斜部と上記チャック爪とで挟み込んで保持することにより、上記ディスクをセンタリングするターンテーブル。
【請求項２】
上記センタリング部材は、上記軸受部を有する円盤状の本体部を有し、
上記本体部には、外周部に連続して複数の上記傾斜部が一定間隔毎に形成され、
上記複数の傾斜部間には、上記チャック機構が配設され、
上記傾斜部と上記チャック機構とが、上記ターンテーブルに対して略同等の高さに配設される請求項１記載のターンテーブル。
【請求項３】
上記軸受部は、上記本体部及び上記傾斜部より肉厚である請求項２記載のターンテーブル。
【請求項４】
上記センタリング部材による上記ディスクの平面方向への押圧成分は、上記チャック爪による上記ディスクの平面方向への押圧成分より大きい請求項１記載のターンテーブル。
【請求項５】
上記センタリング部材は、摺動性の高い材料で形成されている請求項１記載のターンテーブル。
【請求項６】
ディスクが保持されるターンテーブルと、
上記ターンテーブルを回転駆動するスピンドルモータと、
上記スピンドルモータによって回転駆動された上記ディスクに情報信号の書き込み及び／又は読み取りを行うピックアップ装置と、
上記ピックアップ装置を上記ディスクの半径方向に移動させるピックアップ駆動機構とを備え、
上記ターンテーブルは、
ディスクを載置するターンテーブル本体と、
上記ターンテーブル本体を回転駆動する回転軸と、
上記回転軸の半径方向外側に向けて設けられ、上記ディスクの中心孔周縁部を保持するチャック爪と、上記チャック爪を上記回転軸の半径方向外側に付勢する第１の弾性部材とを有するチャック機構と、
上記回転軸に挿通される軸受部と、上記ディスクの取り付け方向に向かって拡径され上記ターンテーブル本体に載置するディスクの中心孔周縁部が当接されて上記ディスクを上記回転軸の軸方向に摺動する傾斜部とを有し、上記回転軸の軸方向に移動可能に設けられるセンタリング部材と、
上記センタリング部材を上記ディスクの取り外し方向に付勢する第２の弾性部材とを有し、
上記センタリング部材は、上記ディスクの中心孔周縁部を上記傾斜部と上記チャック爪とで挟み込んで保持することにより、上記ディスクをセンタリングするディスクドライブ装置。
【請求項７】
ディスクが保持されるターンテーブルと、
上記ターンテーブルを回転駆動するスピンドルモータと、
上記スピンドルモータによって回転駆動された上記ディスクに情報信号の書き込み及び／又は読み取りを行うピックアップ装置と、
上記ピックアップ装置を上記ディスクの半径方向に移動させるピックアップ駆動機構とを備え、
上記ターンテーブルは、
ディスクを載置するターンテーブル本体と、
上記ターンテーブル本体を回転駆動する回転軸と、
上記回転軸の半径方向外側に向けて設けられ、上記ディスクの中心孔周縁部を保持するチャック爪と、上記チャック爪を上記回転軸の半径方向外側に付勢する第１の弾性部材とを有するチャック機構と、
上記回転軸に挿通される軸受部と、上記ディスクの取り付け方向に向かって拡径され上記ターンテーブル本体に載置するディスクの中心孔周縁部が当接されて上記ディスクを上記回転軸の軸方向に摺動する傾斜部とを有し、上記回転軸の軸方向に移動可能に設けられるセンタリング部材と、
上記センタリング部材を上記ディスクの取り外し方向に付勢する第２の弾性部材とを有し、
上記センタリング部材は、上記ディスクの中心孔周縁部を上記傾斜部と上記チャック爪とで挟み込んで保持することにより、上記ディスクをセンタリングするディスクドライブ装置を搭載した電子機器。
【発明の詳細な説明】
【技術分野】
【０００１】
本発明は、ディスクを高精度にセンタリングするターンテーブル、ディスクドライブ装置及び電子機器に関する。
【背景技術】
【０００２】
ＣＤ（Compact Disc）やＤＶＤ（Digital Versatile Disk）等の光ディスクは、中心孔周縁部がターンテーブルに保持され、ターンテーブルに保持された状態でスピンドルモータによって回転駆動され、光学ピックアップからレーザ光が照射されることで、情報の記録再生が行われる。
【０００３】
近年では、ＢＤ（Blue Ray Disc）（登録商標）のような高密度記録が可能な光ディスクも登場し、情報の正確な記録再生を行うためには、さらに高いセンタリング精度が必要となってきている。
【０００４】
従来、光ディスクの保持方法としては、ターンテーブルに設けられた弾性部材によって外側に付勢された複数個のチャック爪によって、光ディスクの中心孔周縁部が内周側から保持され、光ディスクをターンテーブルに保持するものがある（特許文献１参照。）。
【０００５】
しかしながら、このような保持方法では、弾性部材の弾性力のばらつき等により、高いセンタリング精度が望めない場合がある。
【０００６】
したがって、このような保持方法では、従来のＣＤやＤＶＤで要求されるセンタリング精度では大きな問題とはならないものの、ＢＤ等の高密度記録が可能な光ディスクで要求される高いセンタリング精度では対応が不十分となる場合がある。
【０００７】
【特許文献１】特開２００６−９２６６８号公報
【発明の開示】
【発明が解決しようとする課題】
【０００８】
本発明は、このような従来の事情に鑑みて提案されたものであり、ディスクを高精度にセンタリングするターンテーブル、ディスクドライブ装置及び電子機器を提供することを目的とする。
【課題を解決するための手段】
【０００９】
上述した目的を達成する本発明に係るターンテーブルは、ディスクを載置するターンテーブル本体と、ターンテーブル本体を回転駆動する回転軸と、回転軸の半径方向外側に向けて設けられ、ディスクの中心孔周縁部を保持するチャック爪と、チャック爪を回転軸の半径方向外側に付勢する第１の弾性部材とを有するチャック機構と、回転軸に挿通される軸受部と、ディスクの取り付け方向に向かって拡径されターンテーブル本体に載置するディスクの中心孔周縁部が当接されてディスクを回転軸の軸方向に摺動する傾斜部とを有し、回転軸の軸方向に移動可能に設けられるセンタリング部材と、センタリング部材をディスクの取り外し方向に付勢する第２の弾性部材とを備える。そして、センタリング部材は、ディスクの中心孔周縁部を傾斜部とチャック爪とで挟み込んで保持することにより、ディスクをセンタリングする。
【００１０】
また、本発明に係るディスクドライブ装置は、ディスクが保持されるターンテーブルと、ターンテーブルを回転駆動するスピンドルモータと、スピンドルモータによって回転駆動されたディスクに情報信号の書き込み及び／又は読み取りを行うピックアップ装置と、ピックアップ装置をディスクの半径方向に移動させるピックアップ駆動機構とを備え、ターンテーブルは、ディスクを載置するターンテーブル本体と、ターンテーブル本体を回転駆動する回転軸と、回転軸の半径方向外側に向けて設けられ、ディスクの中心孔周縁部を保持するチャック爪と、チャック爪を回転軸の半径方向外側に付勢する第１の弾性部材とを有するチャック機構と、回転軸に挿通される軸受部と、ディスクの取り付け方向に向かって拡径されターンテーブル本体に載置するディスクの中心孔周縁部が当接されてディスクを回転軸の軸方向に摺動する傾斜部とを有し、回転軸の軸方向に移動可能に設けられるセンタリング部材と、センタリング部材をディスクの取り外し方向に付勢する第２の弾性部材とを有する。そして、センタリング部材は、ディスクの中心孔周縁部を傾斜部とチャック爪とで挟み込んで保持することにより、ディスクをセンタリングする。
【００１１】
また、本発明に係る電子機器は、上述した本発明に係るディスクドライブ装置を搭載した電子機器である。
【発明の効果】
【００１２】
本発明によれば、回転軸に挿通されたセンタリング部材が、ディスクの中心孔周縁部を傾斜部とチャック爪とで挟み込んで保持することにより、ディスクを回転軸基準でセンタリングすることで、ディスクのセンタリング精度の向上を図ることができる。
【００１３】
したがって、本発明によれば、高いセンタリング精度を要求するディスクの保持にも十分対応することができる。また、本発明によれば、ディスクに対して記録再生を行うときの信号の読み書きのエラーやディスクを回転駆動するときの振動及びノイズを低減することができる。
【発明を実施するための最良の形態】
【００１４】
以下、本発明が適用されたターンテーブル１を備えるディスクドライブ装置２について、図面を参照しながら詳細に説明する。このディスクドライブ装置２は、ＣＤ（Compact Disc）、ＤＶＤ（Digital Versatile Disc）、ＢＤ（Blue Ray Disc）（登録商標）等の光ディスク３の記録再生用のドライブ装置であり、図１に示すように、例えばカムコーダ４に搭載されている。
【００１５】
このカムコーダ４は、図１に示すように、機器本体５を有し、この機器本体５の前面部上側にＣＣＤ（Charge Coupled Device）、ＣＭＯＳ（Complementary Metal Oxide Semiconductor）センサー等の撮像素子、撮像レンズ、ズームレンズ等のレンズ群等で構成された撮像部６が設けられている。また、機器本体５の一方の側面には、ＬＣＤ（Liquid Crystal Display）や有機ＥＬ（Electro Luminescence）等で形成された表示パネル７が開閉及び回動可能に設けられている。また、機器本体５には、機器本体５の背面から上面にかけて、撮像開始、撮像停止等を行うための操作ボタン群８が設けられている。また、機器本体５の他方の側面には、光ディスク３が取り付けられ、取り付けられた光ディスク３に撮像された映像信号や音声信号を記録するディスクドライブ装置２が設けられている。また、機器本体５の他方の側面には、ディスクドライブ装置２を覆うような開閉蓋９が開閉可能に設けられ、図示しない付勢部材によって開方向に付勢されて設けられている。また、機器本体５には、全体の動作を制御するマイコンが内蔵されている。以上のような構成を有するカムコーダ４は、撮像部６で撮像された映像信号や音声信号を、ディスクドライブ装置２によって、ディスクドライブ装置２のターンテーブル１に取り付けられた光ディスク３に記録することができ、また、ターンテーブル１に取り付けられた光ディスク３に記録された映像信号や音声信号を、表示パネル７等に再生することができる。
【００１６】
光ディスク３に撮像部６で撮像された映像信号や音声信号を記録するディスクドライブ装置２は、図１に示すように、光ディスク３が収納されるディスク収納部１０と、ディスク収納部１０に収納された光ディスク３が取り付けられ、光ディスク３に対して撮像部６で撮像された映像信号や音声信号を記録するベースユニット２０とを備える。
【００１７】
光ディスク３が収納されるディスク収納部１０は、例えば、ＰＰＥ（Polyphenyleneether；ポリフェニレンエーテル）等の機械的強度を有する熱可塑性樹脂で射出成型等により成型されている。ディスク収納部１０には、図１に示すように、光ディスク３が収納される収納凹部１１が形成されている。収納凹部１１は、光ディスク３と略同じ大きさの略円形の凹部からなり、光ディスク３が信号記録面を向けて載置される。また、収納凹部１１は、主面部に、ディスク収納部１０に取り付けられたベースユニット２０のターンテーブル１及び対物レンズ５４を光ディスク３側に臨ませる開口部１２が形成されている。この開口部１２には、ベースユニット２０のベースシャーシ３０に取り付けられた表面カバー１３を介して上方に臨まされたターンテーブル１及び対物レンズ５４が光ディスク３の信号記録面側に臨まされている。また、収納凹部１１には、略外周縁部全周に亘って収納壁１４が形成されている。この収納壁１４は、光ディスク３を収納凹部１１の中心へガイドすると共に、ディスク収納部１０からの脱落を防止するためのものであり、内壁側がテーパ形状に形成されている。
【００１８】
光ディスク３に対して撮像部６で撮像された映像信号や音声信号を記録するベースユニット２０は、図２に示すように、ユニット本体を構成するベースシャーシ３０と、光ディスク３を取り付けるターンテーブル１と、ターンテーブル１を回転駆動する回転軸４０を有するスピンドルモータ（図示せず）と、スピンドルモータによって回転駆動されるターンテーブル１に取り付けられた光ディスク３に対して光ビームを照射して反射された戻り光を検出する光ピックアップ装置５０と、光ピックアップ装置５０の移動をガイドする一対のガイド軸６０、６１と、ガイド軸６０、６１に沿って光ピックアップ装置５０を移動させるラック部材７０と、ラック部材７０と係合され、光ピックアップ装置５０を光ディスク３の径方向に亘って移動させるピックアップ移動機構８０とを有する。
【００１９】
ユニット本体を構成するベースシャーシ３０は、図２に示すように、金属で形成された略矩形状のフレーム体をなし、光ピックアップ装置５０の対物レンズ５４を光ディスク３の信号記録面側に臨ませる開口部３１が形成されている。この開口部３１は、略矩形状に形成されるとともに、長手方向の一端側に略円弧状の切欠部３２が形成されている。ベースシャーシ３０は、開口部３１の長手方向に亘って一対のガイド軸６０、６１が延設され、これらガイド軸６０、６１に支持された光ピックアップ装置５０が開口部３１を移動するように配設されている。
【００２０】
また、開口部３１の切欠部３２には、光ディスク３を取り付けるターンテーブル１を露出するように、ターンテーブル１及びスピンドルモータが配設されている。また、ベースシャーシ３０には、後述する送りモータ８２を上方に臨ませるモータ用開口部３３が形成されている。このモータ用開口部３３は、送りモータ８２の上部を突出させ、これによりベースユニット２０のユニット厚さの薄型化が図られることとなる。
【００２１】
更に、ベースシャーシ３０には、周縁部に、ベースユニット２０をディスク収納部１０に取り付ける先端が開口された略Ｃ字形状の係合片３４が３個形成されている。これらの係合片３４は、ゴム等の弾性材料からなりスピンドルモータ等による振動等を分散吸収するインシュレータを介して、ディスク収納部１０に形成された図示しない取付突起にネジ止めされ、ベースユニット２０をディスク収納部１０の反対側に取り付けている。この際、ベースシャーシ３０は、ターンテーブル１に取り付けられた光ディスク３が収納凹部１１に摺らないように、係合片３４によってディスク収納部１０との間のクリアランスが調整されている。
【００２２】
ベースシャーシ３０の切欠部３２から露出するように配設されるターンテーブル１は、光ディスク３の中心孔周縁部３ａを内周面側より保持して光ディスク３を取り付け、光ディスク３をセンタリングする。ターンテーブル１の詳細については後述する。
【００２３】
ターンテーブル１を回転駆動する図示しないスピンドルモータは、金属で形成された略薄板状のモータベースを有する。このモータベースには、軸受等によって回転自在に支持された回転軸４０が配設されている。この回転軸４０には、光ディスク３を取り付けるターンテーブル１が嵌合されている。このような回転軸４０は、例えばモータベースに設けられたモータステータ及びターンテーブル１に設けられたモータロータ等からなる回転駆動機構によって回転駆動される。このとき、ターンテーブル１は、回転軸４０と嵌合されているので、回転軸４０と一体に回転駆動される。また、モータベースには、回転駆動機構を制御する回転駆動回路等が実装され、ＦＰＣ等を介して、カムコーダ４に内蔵されているカムコーダ４の全体を制御するマイコン等と接続されている。以上のようなスピンドルモータは、ベースシャーシ３０の切欠部３２からターンテーブル１を露出するように配置され、モータベースとベースシャーシ３０とをネジ止め等して、ベースシャーシ３０に取り付けられている。そして、スピンドルモータは、ターンテーブル１に光ディスク３が取り付けられると、回転駆動機構によって回転軸４０に嵌合されたターンテーブル１を回転駆動させ、光ディスク３をＣＬＶ（Constant Linear Velocity）やＣＡＶ（Constant Angular Velocity）等で回転駆動させる。
【００２４】
スピンドルモータによって回転駆動されるターンテーブル１に取り付けられた光ディスク３に対して光ビームを照射して反射された戻り光を検出する光ピックアップ装置５０は、図２に示すように、略矩形の筐体のピックアップベース５１を有する。このピックアップベース５１は、長手方向の一端側に後述するガイド軸６０に係合する第１の係合片５２が形成され、他端側に後述するガイド軸６１に係合する第２の係合片５３が形成されている。
【００２５】
また、ピックアップベース５１は、少なくとも、光ビームを出射する半導体レーザ等の図示しない光源と、この光源から出射された光ビームを光ディスク３の信号記録面に集光させて照射する対物レンズ５４と、光ディスク３の信号記録面から反射の戻り光を検出する図示しない光検出器と、対物レンズ５４を光ディスク３のフォーカシング方向及びトラッキング方向に駆動させる図示しない駆動系が配設されている。更に、ピックアップベース５１には、対物レンズ５４の駆動系を制御する駆動回路等が形成された図示しないＦＰＣが取り付けられている。
【００２６】
以上のような光ピックアップ装置５０は、ターンテーブル１に取り付けられ、スピンドルモータによってＣＬＶやＣＡＶ等で回転駆動される光ディスク３に対して、光源から出射された光ビームを、光ディスク３の信号記録面に照射し、反射した戻りの光ビームを光検出器で検出し、駆動系により対物レンズをフォーカシング方向及びトラッキング方向に駆動変位して、フォーカシング制御及びトラッキング制御を行う。
【００２７】
そして、光ピックアップ装置５０は、記録時にあっては、ターンテーブル１によってＣＬＶやＣＡＶ等で回転する光ディスク３の信号記録面に対して、光源から出射された光ビームを集光させて、記録する撮像部６で撮像された映像信号や音声信号に応じて光ビームを照射することで、撮像部６で撮像された映像信号や音声信号をターンテーブル１に取り付けられた光ディスク３に記録する。
【００２８】
また、光ピックアップ装置５０は、再生時にあっては、ターンテーブル１によってＣＬＶやＣＡＶ等で回転する光ディスク３の信号記録面に対して、光源から出射された光ビームを集光させて照射し、光ディスク３の信号記録面から反射された戻り光を光検出器で検出することで、ターンテーブル１に取り付けられた光ディスク３に記録された映像信号や音声信号を読み出す。
【００２９】
光ピックアップ装置５０の移動をガイドする一対のガイド軸６０、６１は、図２に示すように、ガイドする対物レンズ５４が光ディスク３の径方向に直線移動可能となるように配設されている。このとき、ガイド軸６０、６１は、各両端部が、ベースシャーシ３０に設けられたハウジング６２に支持されている。ガイド軸６０、６１は、各ハウジング６２の略垂直方向に対する傾きや高さが調整されて光ピックアップ装置５０のスキュー調整が行われる。
【００３０】
ガイド軸６０、６１に沿って光ピックアップ装置５０を移動させるラック部材７０は、図２に示すように、ガイド軸６０、６１と隣接して設けられ、一端をピックアップベース５１にビス止めされ、他端を後述するピックアップ移動機構８０のリードスクリュ８１の軸部に形成されたネジ溝と係合されている。また、ラック部材７０は、リードスクリュ８１のネジ溝と係合することにより、リードスクリュ８１の回転運動を直線移動に変換することで、ピックアップベース５１を、ガイド軸６０、６１に沿って移動させる。
【００３１】
光ピックアップ装置５０を光ディスク３の径方向に亘って移動させるピックアップ移動機構８０は、図２に示すように、ガイド軸６０、６１に隣接してこのガイド軸６０、６１と平行にベースシャーシ３０に取り付けられているリードスクリュ８１と、リードスクリュ８１を回転駆動する送りモータ８２とを有する。
【００３２】
ガイド軸６０、６１に隣接してこのガイド軸６０、６１と平行にベースシャーシ３０に取り付けられているリードスクリュ８１は、ネジ溝が形成された軸部の一端を軸受けに回転自在に支持され、他端を後述する送りモータ８２と連結されている。また、リードスクリュ８１は、軸部に、ピックアップベース５１に設けられたラック部材７０がこのネジ溝を摺動可能に係合されている。更に、リードスクリュ８１は、送りモータ８２に回転駆動されることにより、ラック部材７０を介して光ピックアップ装置５０を光ディスク３の径方向に移動させることができる。
【００３３】
リードスクリュ８１を回転駆動する送りモータ８２は、スレッドモータとしてステッピングモータや直流モータが用いられる。送りモータ８２は、ステッピングモータを用いた場合、矩形波によりリードスクリュ８１を回転駆動させることで、ラック部材７０を介して光ピックアップ装置５０を光ディスク３の径方向に移動させる。
【００３４】
以上のようなピックアップ移動機構８０は、カムコーダ４によって光ピックアップ装置５０が駆動されるとき、カムコーダ４のマイコンによってサーボ制御された送りモータ８２が所定回数だけ回転されて、リードスクリュ８１の軸部と係合するラック部材７０が軸部に沿って移動され、光ピックアップ装置５０が光ディスク３の径方向に亘って搬送される。
【００３５】
次に、ターンテーブル１について詳細に説明する。ターンテーブル１は、図３、図４及び図５に示すように、光ディスク３が載置されるターンテーブル本体９０と、第１の弾性部材１２２によって回転軸４０の半径方向外側に付勢されてターンテーブル本体９０に載置された光ディスク３の中心孔周縁部３ａを内周面側から保持するチャック機構１２０と、回転軸４０の軸方向に移動可能なセンタリング部材１３０と、センタリング部材１３０を回転軸４０の軸方向の光ディスク３の取り外し方向に付勢する第２の弾性部材１４０と、センタリング部材１３０の回転軸４０の軸方向の移動を制限するキャップ部１５０とを有する。
【００３６】
以下、図３、図４及び図５に示すように、回転軸４０の軸方向に対して、光ディスク３をターンテーブル本体９０に載置する方向、すなわち、図３、図４及び図５中の矢印Ａ１方向を取り付け方向として説明していき、光ディスク３をターンテーブル本体９０から離間する方向、すなわち、図３、図４及び図５中の矢印Ａ２方向を取り外し方向として説明していく。
【００３７】
光ディスク３を載置するターンテーブル本体９０は、図３及び図４に示すように、光ディスク３を載置する載置面９１を有するテーブル体９２と、センタリング部材１３０やチャック機構１２０が取り付けられる取付体９３とを有する。
【００３８】
光ディスク３を載置する載置面９１を有するテーブル体９２は、金属材料等で形成され、図３及び図４に示すように、載置面９１を有する略円盤状の載置部９４の外周縁に連続して、取り付け方向（図３及び図４中の矢印Ａ１方向）に略円筒状のテーブル側面部９５が突出形成されるとともに、載置面９１の略中央に連続して、取り外し方向（図３及び図４中の矢印Ａ２方向）に軸状の筒軸部９６が突出形成されている。
【００３９】
載置部９４、テーブル側面部９５とで形成される空間部９７には、上述したモータステータ及びモータロータ等からなる回転駆動機構が収納されている。また、載置面９１に突出形成された筒軸部９６には、上記空間部９７に収納された回転駆動機構によって回転駆動される回転軸４０と嵌合されるテーブル嵌合孔９８が形成されている。筒軸部９６は、テーブル嵌合孔９８が回転軸４０に嵌合されることで、テーブル体９２が回転軸４０に固定され、テーブル体９２を回転軸４０と一体に回転駆動させる。
【００４０】
また、載置面９１には、大きな摩擦抵抗を有する滑り止め部材９９が取り付けられている。この滑り止め部材９９は、ゴム等の弾性体やプラスチック等で円環状に形成され、載置面９１に接着剤等で接着されている。滑り止め部材９９は、光ディスク３の中心孔周縁部３ａを支持し、載置面９１に対する光ディスク３の滑りを防止し、光ディスク３をターンテーブル本体９０と一体的に回転させる。また、載置面９１には、センタリング部材１３０やチャック機構１２０が取り付けられる取付体９３が配設されている。
【００４１】
載置面９１に配設される取付体９３は、図３及び図４に示すように、筒軸部９６と嵌合される取付嵌合孔１００が形成された略円筒状の取付本体部１０１の外周縁に連続して、回転軸４０の半径方向外側にチャック機構１２０が配設される爪配設部１０２が形成されている。取付体９３は、取付嵌合孔１００が筒軸部９６に嵌合されることで、テーブル体９２に固定され、テーブル体９２と一体に回転駆動させる。
【００４２】
また、取付本体部１０１の外周縁に連続して回転軸４０の半径方向外側にチャック機構１２０が配設される爪配設部１０２は、取付本体部１０１の外周縁に連続して回転軸４０の半径方向外側に突出形成された上片１０３と、回転軸４０の半径方向外側に突出形成されたのち取り付け方向（図３及び図４中の矢印Ａ１方向）に折曲された側片１０４とを有する略Ｌ字形状の突出片であり、周方向へ等間隔に、例えば１２０度間隔で合計３ヶ所に形成されている。
【００４３】
回転軸４０の半径方向外側に突出形成されたのち取り付け方向に折曲された側片１０４は、取付体９３の最大外径部であり、光ディスク３がターンテーブル１に取り付けられるときに、光ディスク３のセンタリング精度に関して影響を与えないように、光ディスク３の中心孔３ｂの内径と略同一の大きさ又はやや小さな径に形成されている。
【００４４】
また、爪配設部１０２は、側片１０４から上片１０３に亘って開口され、チャック機構１２０を取付体９３から外部へ突出させる爪突出口１０５と、この爪突出口１０５と連続しチャック機構１２０の回転軸４０の半径方向の移動をガイドする爪ガイド口１０６とを有する。
【００４５】
チャック機構１２０を取付体９３から外部へ突出させる爪突出口１０５は、側片１０４に、後述するチャック機構１２０の構成部品であるチャック爪１２１の爪部１２３の幅及び厚さと略同等の略矩形状に形成されている。また、爪突出口１０５の周囲には、チャック爪１２１が突き当てられ、チャック機構１２０の回転軸４０の半径方向外側への移動を制限する爪制限部１０７が形成されている。
【００４６】
また、チャック機構１２０の回転軸４０の半径方向の移動をガイドする爪ガイド口１０６は、上片１０３に、爪突出口１０５と連続して回転軸４０の半径方向内側に向けて爪突出口１０５より幅狭な所定の幅を有して形成されている。また、爪ガイド口１０６の周囲には、チャック爪１２１と係合し、チャック爪１２１を回転軸４０の半径方向にガイドする爪ガイド部１０８が形成されている。
【００４７】
また、取付本体部１０１の外周面には、爪配設部１０２と対応する位置、すなわち、周方向へ等間隔に、例えば１２０度間隔で合計３ヶ所に、係合突起１０９が突出形成されている。係合突起１０９は、チャック機構１２０の構成部品であるチャック爪１２１を回転軸４０の半径方向外側に付勢する第１の弾性部材１２２の一端が係合される。
【００４８】
また、取付体９３には、爪配設部１０２と爪配設部１０２との間に、センタリング部材１３０が配設されるセンタリング配設部１１０が形成されている。センタリング配設部１１０は、爪配設部１０２と爪配設部１０２との間に、周方向へ等間隔に、例えば１２０度間隔で合計３ヶ所に形成されている。センタリング配設部１１０は、センタリング部材１３０と片当たり等して光ディスク３のセンタリング精度に関して影響を与えないように、センタリング部材１３０の後述する傾斜部１３６と略同一の形状又はやや大きな形状に形成されている。また、センタリング配設部１１０の周囲には、センタリング部材１３０と係止される係止部１１２が形成されている。係止部１１２は、光ディスク３が回転駆動されるときに、センタリング部材１３０と係合されることで、センタリング部材１３０を取付体９３と一体に回転駆動させる。
【００４９】
また、取付本体部１０１の取り外し方向（図３及び図４中の矢印Ａ２方向）側の面には、センタリング配設部１１０を光ディスク３の取り外し方向に付勢する第２の弾性部材１４０が載置される載置凹部１１１が形成されている。この載置凹部１１１は、第２の弾性部材１４０と略同じ大きさの略円形の凹部からなり、第２の弾性部材１４０を中心へガイドするために、内壁がテーパ状に形成されている。
【００５０】
ここで、取付体９３の材質としては、ある程度の機械的強度を有するエンジニアリングプラスチックが好適であるが、金属その他の材料を用いることもできる。
【００５１】
爪配設部１０２に配設されるチャック機構１２０は、図３及び図４に示すように、光ディスク３の中心孔周縁部３ａを内周面側から保持するチャック爪１２１と、チャック爪１２１を回転軸４０の半径方向外側に付勢する第１の弾性部材１２２とを有する。
【００５２】
光ディスク３の中心孔周縁部３ａを内周面側から保持するチャック爪１２１は、釣鐘を垂直に切断した形状をなして光ディスク３を保持する爪部１２３と、この爪部１２３の略半円形状の底面１２３ａに連続して形成されたストッパ部１２４と、このストッパ部１２４から突出形成された摺動部１２５と、釣鐘を垂直に切断した断面形状をなす爪部１２３の切断面１２３ｂに設けたガイド部１２６と、爪部１２３の底面１２３ａに設けた係合凸部１２７とからなる。
【００５３】
光ディスク３を保持する爪部１２３は、釣鐘が底面方向に対して略半分に切断されたような形状に設けられ、回転軸４０の半径方向に対する略半円形状の底面１２３ａと、取り付け、取り外し方向に対する切断面１２３ｂと、光ディスク３の中心孔周縁部３ａの一方を保持する保持面１２３ｃとを有する。
【００５４】
また、爪部１２３の底面１２３ａに連続して形成されたストッパ部１２４は、爪部１２３の底面１２３ａより取り付け、取り外し方向及び回転軸４０の半径方向と直交する両方向に略均等に張り出すように形成され、正面視略矩形状に形成されている。また、ストッパ部１２４には、張り出した両端部からそれぞれ回転軸４０の半径方向内側に摺動部１２５が突出形成され、ストッパ部１２４及び摺動部１２５とで平面視略コの字状に形成されている。これら平面視略コの字状に形成されたストッパ部１２４及び摺動部１２５は、チャック爪１２１が回転軸４０の半径方向に移動するときに安定して移動することができるように、載置面９１に摺動される。また、ストッパ部１２４の爪部１２３の周囲には、突当部１２４ａが形成されている。この突当部１２４ａは、チャック機構１２０が爪配設部１０２に配設され、第１の弾性部材１２２によって回転軸４０の半径方向外側に付勢されたときに、爪制限部１０７に突き当てられ、チャック爪１２１の回転軸４０の半径方向外側の移動を制限する。
【００５５】
また、爪部１２３の切断面１２３ｂに形成されたガイド部１２６は、爪部１２３の切断面１２３ｂの略中央において回転軸４０の半径方向へ延在され、取り外し方向に突出形成されている。また、ガイド部１２６の取り外し方向の面には、回転軸４０の半径方向外側に傾斜されたガイド面１２６ａが形成されている。このガイド面１２６ａは、光ディスク３を取り付けるときに、光ディスク３の中心孔３ｂと当接されることで、回転軸４０の半径方向外側に付勢する第１の弾性部材１２２の弾性力に抗してチャック爪１２１を爪配設部１０２内に押し込むとともに、光ディスク３を爪部１２３の保持面１２３ｃにガイドする。
【００５６】
また、ガイド部１２６のガイド面１２６ａと隣接するガイド側面部１２６ｂと切断面１２３ｂとでなすコーナ部には、爪ガイド部１０８と係合される係合部１２９が形成されている。係合部１２９は、ガイド面１２６ａによってチャック爪１２１が爪配設部１０２内に押し込まれるとき、又は、押し込まれた後再び第１の弾性部材１２２によってチャック爪１２１が爪突出口１０５から突出されるときに、爪ガイド部１０８に係合され、チャック爪１２１を回転軸４０の半径方向にガイドする。
【００５７】
また、爪部１２３の底面１２３ａに設けられた係合凸部１２７は、爪部１２３の底面１２３ａの略中央に形成され、チャック爪１２１を回転軸４０の半径方向外側に付勢する第１の弾性部材１２２の他端が係合される。
【００５８】
ここで、チャック爪１２１の材質としては、ある程度の機械的強度を有するエンジニアリングプラスチックが好適であるが、金属その他の材料を用いることもできる。
【００５９】
また、チャック爪１２１を回転軸４０の半径方向外側に付勢する第１の弾性部材１２２は、図３及び図４に示すように、例えばコイルバネである。第１の弾性部材１２２は、一端が係合突起１０９に係合され、他端が係合凸部１２７に係合され、チャック爪１２１と取付本体部１０１との間に圧縮された状態で介在されている。これにより、第１の弾性部材１２２は、チャック爪１２１を弾性力によって常時回転軸４０の半径方向外側に付勢している。なお、第１の弾性部材１２２は、コイルバネに限定されるものではなく、チャック爪１２１を弾性力によって常時回転軸４０の半径方向外側に付勢することができればよく、台形等の他の形状のコイルバネや、板バネ、ねじりバネ等を用いてもよく、樹脂で成型された弾性体を用いてもよい。
【００６０】
以上のような構成を有するチャック機構１２０は、図３及び図４に示すように、一端が係合突起１０９に係合されて他端が係合凸部１２７に係合された第１の弾性部材１２２が、爪部１２３を回転軸４０の半径方向外側に向けたチャック爪１２１と取付本体部１０１との間に圧縮された状態で介在されて、爪配設部１０２内に配設されている。このとき、チャック機構１２０は、チャック爪１２１が第１の弾性部材１２２の弾性力によって常時回転軸４０の半径方向外側に付勢されており、ストッパ部１２４の突当部１２４ａが爪制限部１０７に突き当てられることで、回転軸４０の半径方向外側への移動が制限された状態で、爪部１２３の先端が爪突出口１０５から外部に露出されている。
【００６１】
センタリング配設部１１０に配設されるセンタリング部材１３０は、図３及び図４に示すように、回転軸４０に挿通される略円盤状のセンタリング本体部１３１の外周縁に連続して、取り付け方向（図３及び図４中の矢印Ａ１方向）にセンタリング側面部１３２が屈曲されているとともに、センタリング本体部１３１の略中央に連続して、軸受部１３３が形成されている。
【００６２】
センタリング本体部１３１の略中央に連続して形成された軸受部１３３は、取り付け方向及び取り外し方向にそれぞれ略均等に突出形成され、センタリング本体部１３１の他の領域よりも肉厚に設けられている。また、軸受部１３３には、回転軸４０に挿通される貫通孔１３４が形成されている。軸受部１３３は、貫通孔１３４が回転軸４０に挿通されることで、センタリング部材１３０を回転軸４０の軸方向に移動可能に設けている。また、軸受部１３３は、取付本体部１０１の他の領域よりも肉厚に設けられていることで、光ディスク３が取り付けられるとき、センタリング部材１３０が回転軸４０に対して取り付け方向に移動される際に、又は、光ディスク３が取り付けられたとき、光ディスク３が回転駆動される際に、軸ぶれやがたつき等が起こることを防止する。
【００６３】
また、取付本体部１０１の外周縁に連続して取り付け方向に屈曲されているセンタリング側面部１３２は、取り付け方向に向かって拡径するように形成されている。センタリング側面部１３２は、センタリング配設部１１０の配置位置に対応するように、すなわち、周方向へ等間隔に３ヶ所形成されている。センタリング側面部１３２は、センタリング本体部１３１から取り付け方向に順に、光ディスク３を取り付け方向にガイドするガイド部１３５と、このガイド部１３５と連続する傾斜部１３６とを有する。
【００６４】
ガイド部１３５は、光ディスク３の取り付け方向に向かって拡径されて形成され、断面略円弧状に形成されている。ガイド部１３５は、光ディスク３が取り付けられるときに、光ディスク３の中心孔周縁部３ａが当接されて、光ディスク３を取り付け方向に摺動し、傾斜部１３６にガイドする。
【００６５】
ガイド部１３５と連続する傾斜部１３６は、光ディスク３の取り付け方向に向かって所定の角度を有して拡径されて形成されている。傾斜部１３６は、光ディスク３が取り付けられるとき、傾斜面上に光ディスク３の中心孔周縁部３ａの他方を支持し、回転軸４０基準で光ディスク３をセンタリングする。
【００６６】
したがって、センタリング部材１３０は、傾斜部１３６によって光ディスク３の中心孔周縁部３ａの他方を支持するとともに、光ディスク３の中心孔周縁部３ａの他方を支持した状態で回転軸４０に対して取り付け方向に所定量移動されたのち、上述したチャック爪１２１の爪部１２３の保持面１２３ｃが光ディスク３の中心孔周縁部３ａの一方を支持することで、傾斜部１３６と保持面１２３ｃとで挟み込んで光ディスク３を保持し、傾斜部１３６によって回転軸４０基準で光ディスク３をセンタリングする。
【００６７】
このとき、傾斜部１３６と載置面９１（滑り止め部材９９）との間、センタリング本体部１３１と取付体９３との間、軸受部１３３と取付体９３との間には、それぞれ間隙を有するように設けられている。したがって、センタリング部材１３０は、ターンテーブル本体９０に接触しておらず、回転軸４０に挿通されて回転軸のみに支持されているので、傾斜部１３６によって回転軸４０基準で光ディスク３をセンタリングしている。
【００６８】
また、ガイド部１３５及び傾斜部１３６の取り付け方向側の面には、軸受部１３３からガイド部１３５及び傾斜部１３６に亘って所定の幅と高さを有する補強リブ１３７が設けられている。補強リブ１３７は、傾斜部１３６で光ディスク３の中心孔周縁部３ａの一方を支持するときに、ガイド部１３５及び傾斜部１３６が回転軸４０の半径方向内側に弾性変形することを防止する。
【００６９】
なお、ガイド部１３５は、断面が略円弧状であることに限定されるものではなく、光ディスク３を傾斜部１３６にガイドすればよく、所定の角度を有して取り付け方向に向かって拡径されるようにしてもよい。また、センタリング側面部１３２は、ガイド部１３５を設けることなく、傾斜部１３６のみで構成されるようにしてもよい。また、ガイド部１３５及び傾斜部１３６は、補強リブを設けずに、厚さを増すことや機械的強度の高い材質を用いる等して、弾性変形を防止するようにしてもよい。
【００７０】
ここで、センタリング部材１３０の材質としては、機械的強度と摺動性を有する材料で形成されることが好適である。例えば、センタリング部材１３０は、機械的強度と摺動性を有するエンジニアリングプラスチックである大塚化学株式会社製の商品名「ポチコン」（登録商標）で形成されている。センタリング部材１３０は、摺動性を有する材料で形成されることで、光ディスク３との摺動性が向上され、光ディスク３をターンテーブル１に取り付け又はターンテーブル１から取り外しするときに、光ディスク３を容易に摺動することができる。また、センタリング部材１３０は、摺動性を有する材料で形成されることで、回転軸４０との摺動性が向上され、回転軸４０の軸方向への移動を容易に行うことができる。なお、センタリング部材１３０は、上記材質に限定されるものではなく、摺動性を有する材料であれば如何なるものでもよく、ＰＢＴ(Poly Butylene Terephtalat；ポリブチレンテレフタレート)やＰＰＳ（Poly Phenylene Sulfide；ポリフェニレンスルファイド）で形成してもよい。また、センタリング部材１３０は、エンジニアリングプラスチックに限定されるものではなく、機械的強度と摺動性を有する金属材料で形成するようにしてもよい。
【００７１】
以上のようなセンタリング部材１３０は、センタリング部材１３０は、図３及び図４に示すように、取付体９３の載置凹部１１１に載置された第２の弾性部材１４０によって取り外し方向に付勢された状態で、チャック機構１２０が配設された爪配設部１０２と爪配設部１０２との間に形成されたセンタリング配設部１１０に傾斜部１３６が配設されている。
【００７２】
したがって、センタリング部材１３０及びチャック爪１２１は、チャック機構１２０が爪配設部１０２に配設され、爪配設部１０２と爪配設部１０２との間に形成されているセンタリング配設部１１０にセンタリング部材１３０が配設されているので、載置面９１に対して略同等の高さに配設されている。したがって、ターンテーブル１は、薄型化を図ることができる。
【００７３】
センタリング部材１３０を取り外し方向（図３及び図４中の矢印Ａ２方向）に付勢する第２の弾性部材１４０は、図３及び図４に示すように、例えば台形バネであり、回転軸４０に挿通されて、一端が載置凹部１１１に載置され、他端が軸受部１３３の取り付け方向側の主面に当接されている。これにより、第２の弾性部材１４０は、センタリング部材１３０が取り付け方向（図３及び図４中の矢印Ａ１方向）に移動されると、センタリング部材１３０を取り外し方向に付勢する。
【００７４】
このとき、第２の弾性部材１４０は、センタリング部材１３０を所定の押圧力で取り外し方向に付勢することにより、傾斜部１３６に支持された光ディスク３には光ディスク３の主面方向へ押圧成分が発生する。第２の弾性部材１４０は、この押圧成分がチャック爪１２１を付勢する第１の弾性部材１２２による光ディスク３の主面方向への押圧成分より大きくなるように設けられている。これにより、センタリング部材１３０は、チャック機構１２０の押圧力によって主面方向へ光ディスク３が移動されて光ディスク３の芯ずれが起こることを防止し、光ディスクを回転軸４０基準でセンタリングすることができる。
【００７５】
また、台形バネは、円筒状のコイルバネと比べて、取付本体部１０１と載置凹部１１１との間隙を小さく設けることができ、ターンテーブル１の薄型化を図ることができる。なお、第１の弾性部材１２２は、台形バネに限定されるものではなく、センタリング部材１３０を光ディスク３の取り外し方向に付勢することができればよく、円筒状のコイルバネや、板バネ、ねじりバネ等を用いてもよく、樹脂で成型されたこれらのバネを用いてもよい。
【００７６】
回転軸４０と嵌合されセンタリング部材１３０の回転軸４０の軸方向の移動を制限するキャップ部１５０は、図３及び図４に示すように、センタリング部材の本体部と略同じ大きさの径を有し、略中心に、回転軸４０と嵌合されるキャップ嵌合孔１５１が形成されている。
【００７７】
回転軸４０と嵌合されるキャップ嵌合孔１５１が形成されたキャップ部１５０は、回転軸４０にキャップ嵌合孔１５１が嵌合されることで、回転軸４０に固定され、回転軸４０と一体に回転駆動される。そして、キャップ部１５０は、回転軸４０にキャップ嵌合孔１５１が嵌合されることで、取り付け方向側の面が、第２の弾性部材によって取り外し方向に付勢されているセンタリング部材１３０と当接され、センタリング部材１３０の回転軸４０の軸方向の移動を制限している。
【００７８】
また、キャップ部１５０は、取り外し方向側の面が、光ディスク３の取り付け方向に向かって拡径されて形成され、断面略円弧状に形成されている。これによりキャップ部１５０は、光ディスク３が取り付けられるときに、光ディスク３の中心孔周縁部３ａが当接されて光ディスク３を取り付け方向（図３及び図４中の矢印Ａ１方向）に摺動し、光ディスク３の中心孔周縁部３ａをセンタリング部材１３０又はチャック機構１２０にガイドする。なお、キャップ部１５０は、回転軸４０にキャップ嵌合孔１５１が嵌合され、センタリング部材１３０と当接され、センタリング部材１３０の回転軸４０の軸方向の移動を制限するものであれば、如何なる形状でもよく、例えば軸受部１３３の外径よりやや大きな略円盤状であってもよい。
【００７９】
以上のような構成からなるターンテーブル１は、図３に示すように、光ディスク３が取り付けられていないとき、チャック爪１２１が第１の弾性部材１２２の弾性力によって常時回転軸４０の半径方向外側に付勢され、ストッパ部１２４の突当部１２４ａが爪制限部１０７に突き当てられることで、回転軸４０の半径方向外側への移動が制限された状態で、爪部１２３の先端が爪突出口１０５から外部に露出されている。
【００８０】
次に、カムコーダ４に搭載されたディスクドライブ装置２に光ディスク３が取り付けられるときの、ターンテーブル１の一連の動作を説明していく。
【００８１】
先ず、ターンテーブル１は、図１に示すように、ユーザによって光ディスク３の信号記録面をディスク収納部１０に向けて中心孔３ｂを機器本体５の他方の側面から露出されているターンテーブル１に合わせられ、光ディスク３が挿通される。次いで、ターンテーブル１は、図３及び図５に示すように、ガイド部１３５に光ディスク３の中心孔周縁部３ａが当接され、更にユーザによって取り付け方向（図３及び図４中の矢印Ａ１方向）に対して所定の押圧力で押圧されると、ガイド部１３５によって光ディスク３が取り付け方向に摺動され、光ディスク３が傾斜部１３６にガイドされる。次いで、ターンテーブル１は、ガイド部１３５によってガイドされた光ディスク３の中心孔周縁部３ａの他方が傾斜部１３６で支持される。
【００８２】
次いで、ターンテーブル１は、傾斜部１３６に光ディスク３の中心孔周縁部３ａの他方が支持された状態で、更にユーザによって取り付け方向に対して所定の押圧力で押圧されると、取り外し方向（図３及び図４中の矢印Ａ２方向）に付勢する第２の弾性部材１４０の弾性力に抗してセンタリング部材１３０が取り付け方向に移動される。このとき、ターンテーブル１は、チャック爪１２１のガイド面１２６ａが光ディスク３の中心孔３ｂと当接されることで、光ディスク３が取り付け方向に移動するに伴い、係合部１２９が爪ガイド部１０８に係合されてチャック爪１２１が回転軸４０の半径方向にガイドされて、回転軸４０の半径方向外側に付勢する第１の弾性部材１２２の弾性力に抗してチャック爪１２１が爪配設部１０２内に押し込まれるとともに、光ディスク３がチャック爪１２１の爪部１２３の保持面１２３ｃへガイドされる。
【００８３】
次いで、ターンテーブル１は、載置面９１に設けられた滑り止め部材９９により光ディスク３の中心孔周縁部３ａの他方が支持されるとともに、第１の弾性部材１２２によって回転軸４０の半径方向外側に付勢されているチャック爪１２１が回転軸４０の半径方向外側に移動され、このチャック爪１２１の爪部１２３の保持面１２３ｃにより光ディスク３の中心孔周縁部３ａの一方を内周面側から支持する。
【００８４】
したがって、ターンテーブル１は、センタリング部材１３０の傾斜部１３６によって光ディスク３の中心孔周縁部３ａの他方を支持するとともに、光ディスク３の中心孔周縁部３ａの他方を支持した状態で回転軸４０に対して取り付け方向に所定量移動されたのち、チャック爪１２１の爪部１２３の保持面１２３ｃによって光ディスク３の中心孔周縁部３ａの一方を支持することで、傾斜部１３６と保持面１２３ｃとで挟み込んで光ディスク３を内周面側から保持することができ、センタリング部材１３０の傾斜部１３６によって回転軸４０基準で光ディスク３をセンタリングすることができる。
【００８５】
次に、上述したように光ディスク３がターンテーブル１に取り付けられ、カムコーダ４に搭載されたディスクドライブ装置が、撮像部６で撮像された映像信号や音声信号を光ディスク３に記録するとき、又は、光ディスク３に記録された映像信号や音声信号を再生するときの一連の動作を説明していく。
【００８６】
先ず、ディスクドライブ装置２は、上述したように光ディスクが保持されたターンテーブル１を、スピンドルモータによって回転駆動させることで、光ディスク３をＣＬＶやＣＡＶ等で回転駆動させる。次いで、ディスクドライブ装置２は、光ピックアップ装置５０によって光ビームを光ディスク３の信号記録面に照射し、反射した戻りの光ビームを光検出器で検出し、駆動系により対物レンズをフォーカシング方向及びトラッキング方向に駆動変位して、フォーカシング制御及びトラッキング制御を行う。
【００８７】
そして、ディスクドライブ装置２は、記録時にあっては、ＣＬＶやＣＡＶ等で回転する光ディスクの信号記録面に対して、ピックアップ移動機構８０によって光ピックアップ装置５０を光ディスク３の径方向に移動するとともに、光ピックアップ装置５０によってターンテーブル１によって回転駆動される光ディスク３の信号記録面に対して光源から出射された光ビームを集光させて記録する撮像部６で撮像された映像信号や音声信号に応じて光ビームを照射することで、撮像部６で撮像された映像信号や音声信号を、ターンテーブル１に取り付けられた光ディスク３に記録する。
【００８８】
また、ディスクドライブ装置２は、再生時にあっては、ＣＬＶやＣＡＶ等で回転する光ディスクの信号記録面に対して、ピックアップ移動機構８０によって光ピックアップ装置５０を光ディスク３の径方向に移動するとともに、光ピックアップ装置５０によってターンテーブル１によって回転駆動される光ディスク３の信号記録面に対して光源から出射された光ビームを集光させて照射し、光ディスク３の信号記録面から反射された戻り光を光検出器で検出することで、ターンテーブル１に取り付けられた光ディスク３に記録された映像信号や音声信号を読み出して表示パネル７等に再生することができる。
【００８９】
次に、カムコーダ４に搭載されたディスクドライブ装置２に取り付けられた光ディスク３が取り外されるときの、ターンテーブル１の一連の動作を説明していく。
【００９０】
ターンテーブル１は、ユーザによって取り外し方向（図３及び図４中の矢印Ａ２方向）に対して所定の押圧力で押圧されると、図３及び図５に示すように、爪部１２３の保持面１２３ｃに光ディスク３の中心孔３ｂが当接され、光ディスク３が取り外し方向に移動するに伴い、係合部１２９が爪ガイド部１０８に係合されてチャック爪１２１が回転軸４０の半径方向にガイドされて、回転軸４０の半径方向外側に付勢する第１の弾性部材１２２の弾性力に抗してチャック爪１２１が爪配設部１０２内に押し込まれる。
【００９１】
次いで、ターンテーブル１は、更にユーザによって取り外し方向に対して所定の押圧力で押圧されると、爪部１２３の保持面１２３ｃと光ディスク３の中心孔３ｂとの当接が外れ、光ディスク３を取り外すことができる。
【００９２】
次いで、ターンテーブル１は、光ディスク３が取り外されると、係合部１２９が爪ガイド部１０８に係合されてチャック爪１２１が回転軸４０の半径方向にガイドされて、ストッパ部１２４の突当部１２４ａが爪制限部１０７に突き当てられるまで、第１の弾性部材１２２によって回転軸４０の半径方向外側に付勢されて、チャック爪１２１が回転軸４０の半径方向外側に移動され、爪部１２３の先端が爪突出口１０５から外部に露出される。
【００９３】
以上のような構成を有するターンテーブル１は、センタリング部材１３０の傾斜部１３６によって光ディスク３の中心孔周縁部３ａの他方を支持するとともに、光ディスク３の中心孔周縁部３ａの他方を支持した状態で回転軸４０に対して取り付け方向に所定量移動されたのち、チャック爪１２１の爪部１２３の保持面１２３ｃによって光ディスク３の中心孔周縁部３ａの一方を支持することで、傾斜部１３６と保持面１２３ｃとで挟み込んで光ディスク３を内周面側から保持することができ、センタリング部材１３０の傾斜部１３６によって回転軸４０基準で光ディスク３をセンタリングすることができる。
【００９４】
このとき、ターンテーブル１は、センタリング部材の加工公差程度、すなわち、センタリング部材と回転軸４０とのクリアランスと傾斜部１３６の外周振れとの累積公差内で、回転軸４０基準で光ディスク３をセンタリングすることができる。したがって、ターンテーブル１は、高いセンタリング精度を要求するディスクの保持にも十分対応することができる。
【００９５】
また、このとき、ターンテーブル１は、センタリング部材１３０が、傾斜部１３６と載置面９１（滑り止め部材９９）との間、センタリング本体部１３１及び軸受部１３３と取付体９３との間が間隙を有するように設けられている。したがって、ターンテーブル１は、センタリング部材１３０が、ターンテーブル本体９０に接触しないように設けられているとともに、回転軸４０に挿通されて回転軸４０のみに支持されているので、傾斜部１３６によって回転軸４０基準で光ディスク３をセンタリングすることができる。
【００９６】
また、このとき、ターンテーブル１は、センタリング部材１３０の傾斜部１３６が光ディスク３の取り付け方向に向かって所定の角度を有して拡径されているので、光ディスク３の中心孔３ｂが厚さ方向で内径寸法が異なっていても、ターンテーブル１に対して挿入面側となる光ディスク３の信号記録面側の中心孔周縁部３ａを支持でき、光ディスク３を信号記録面側でセンタリングすることができる。
【００９７】
また、ターンテーブル１は、第２の弾性部材１４０がセンタリング部材１３０を所定の押圧力で取り外し方向に付勢することにより発生した傾斜部１３６に支持された光ディスク３に対する主面方向へ押圧成分が、チャック爪１２１を付勢する第１の弾性部材１２２による光ディスク３の平面方向への押圧成分より大きくなるように設けられているので、チャック機構１２０の押圧力によって光ディスク３の芯ずれを防止することができ、光ディスク３を回転軸４０基準で高精度にセンタリングすることができ、高いセンタリング精度を要求するディスクの保持にも十分対応することができる。
【００９８】
また、ターンテーブル１のセンタリング部材１３０及びチャック爪１２１は、センタリング部材１３０がセンタリング配設部１１０に配設され、チャック機構１２０が爪配設部１０２に配設され、爪配設部１０２と爪配設部１０２との間にセンタリング配設部１１０が形成され、載置面９１に対して略同等の高さに配設されているので、ターンテーブル１の取り付け、取り外し方向の薄型化を図ることができる。
【００９９】
また、ターンテーブル１は、軸受部１３３が取り付け方向及び取り外し方向にそれぞれ略均等に突出形成され、センタリング本体部１３１の他の領域よりも肉厚に設けられているので、センタリング部材１３０が回転軸４０の軸方向に移動するときに、軸ぶれやがたつき等が起こることを防止することができる。
【０１００】
また、ターンテーブル１は、センタリング部材１３０の材質が、機械的強度と摺動性を有する材料で形成されているので、光ディスク３との摺動性が向上され、光ディスク３をターンテーブル１に取り付け又は取り外しするときに、光ディスク３を容易に摺動することができるとともに、回転軸４０との摺動性が向上され、センタリング部材１３０の回転軸４０の軸方向への移動を容易に行うことができる。
【０１０１】
また、ターンテーブル１を備えるディスクドライブ装置２及びこのディスクドライブ装置２が搭載されたカムコーダ４は、本発明が適用されたターンテーブル１によって回転軸４０基準で光ディスク３を高精度にセンタリングし、取り付けることができので、光ディスクに対して記録再生を行うときの信号の読み書きのエラーや光ディスク３を回転駆動するときの振動及びノイズを低減することができる。
【０１０２】
なお、本発明が適用されたターンテーブル１を備えるディスクドライブ装置２は、カムコーダ４に搭載されるものに限定されるものではなく、例えばノート型パーソナルコンピュータ等の他の電子機器に搭載されるものであってもよい。
【０１０３】
また、本発明が適用されたターンテーブル１は、図６及び図７に示すように、更に、取付体９３の上片１０３の取り外し方向（図３及び図４中の矢印Ａ２方向）の面にセンタリング本体部１３１を配設されるセンタリング配設凹部１０３ａを設け、テーブル体９２の載置面９１の略中央に連続して取り外し方向に突出形成され、取り付け方向（図３及び図４中の矢印Ａ１方向）のみに突出形成された軸受部１３３が配設される軸受逃げ凹部１６０ａが設けられた軸受逃げ部１６０を設けるようにしてもよい。
【０１０４】
これにより、ターンテーブル１は、センタリング部材１３０が光ディスク３の中心孔周縁部３ａの他方を支持した状態で回転軸４０に対して取り付け方向に所定量移動されたとき、センタリング本体部１３１がセンタリング配設凹部１０３ａに配設され、軸受部１３３が軸受逃げ凹部１６０ａ内に配設されることで、上述したものより更に取り付け、取り外し方向の薄型化を図ることができる。
【０１０５】
また、ターンテーブル１は、キャップ部１５０を略円盤状に設け、更に、センタリング本体部１３１の取り外し側の主面にキャップ部を配設するキャップ配設凹部１３１ａを設けて、取り付け、取り外し方向の薄型化を図るようにしてもよい。
【図面の簡単な説明】
【０１０６】
【図１】本発明が適用されたカムコーダを示した斜視図である。
【図２】本発明が適用されたディスクドライブ装置のベースユニットを示した平面図である。
【図３】本発明が適用されたターンテーブルを示した縦断面図である。
【図４】本発明が適用されたターンテーブルを示した分解斜視図である。
【図５】本発明が適用されたターンテーブルが光ディスクを保持する状態を示した縦断面図である。
【図６】薄型化を図ったターンテーブルを示した縦断面図である。
【図７】薄型化を図ったターンテーブルを示した分解斜視図である。
【符号の説明】
【０１０７】
１  ターンテーブル、２  ディスクドライブ装置、３光ディスク、３ａ  中心孔周縁部、３ｂ  中心孔、４  カムコーダ、５  機器本体、６  撮像部、７  表示パネル、８  操作ボタン群、９  開閉蓋、１０  ディスク収納部、１１  収納凹部、１２  開口部、１３  表面カバー、１４  収納壁、２０  ベースユニット、３０  ベースシャーシ、３１  開口部、３２  切欠部、３３  モータ用開口部、３４  係合片、４０  回転軸、５０  光ピックアップ装置、５１  ピックアップベース、５２  第１の係合片、５３  第２の係合片、５４  対物レンズ、６０  ガイド軸、６１  ガイド軸、６２  ハウジング、７０  ラック部材、８０  ピックアップ移動機構、８１  リードスクリュ、８２  駆動モータ、９０  ターンテーブル本体、９１  載置面、９２  テーブル体、９３  取付体、９４  載置部、９５  テーブル側面部、９６  筒軸部、９７  空間部、９８  テーブル嵌合孔、９９  滑り止め部材、１００  取付嵌合孔、１０１  取付本体部、１０２  爪配設部、１０３  上片、１０３ａ  センタリング配設凹部、１０４  側片、１０５  爪突出口、１０６  爪ガイド口、１０７  爪制限部、１０８  爪ガイド部、１０９  係合突起、１１０  センタリング配設部、１１１  載置凹部、１１２  係止部、１２０  チャック機構、１２１  チャック爪、１２２  第１の弾性部材、１２３  爪部、１２３ａ  底面、１２３ｂ  切断面、１２３ｃ  保持面、１２４  ストッパ部、１２４ａ  突当部、１２５  摺動部、１２６  ガイド部、１２６ａ  ガイド面、１２６ｂ  ガイド側面部、１２７  係合凸部、１２９  係合部、１３０  センタリング部材、１３１  センタリング本体部、１３１ａ  キャップ配設凹部、１３２  センタリング側面部、１３３  軸受部、１３４  貫通孔、１３５  ガイド部、１３６  傾斜部、１３７  補強リブ、１４０  第２の弾性部材、１５０  キャップ部、１５１  キャップ嵌合孔、１６０  軸受逃げ部、１６０ａ  軸受逃げ凹部
【図１】
2009259304.tif 000003
【図２】
2009259304.tif 000004
【図３】
2009259304.tif 000005
【図４】
2009259304.tif 000006
【図５】
2009259304.tif 000007
【図６】
2009259304.tif 000008
【図７】
2009259304.tif 000009